(57)【特許請求の範囲】
【請求項１】
アクティブマトリックス型の液晶パネルの列毎に画像データに応じた電圧を基準電位について所定の周期で極性反転させて出力する反転手段と、
前記所定の周期で前記反転手段の出力電圧に応じて駆動電圧を出力端子から前記液晶パネルの列端子に出力する電圧フォロワからなる複数のアンプと、を備えるソースドライバであって、
前記複数のアンプ各々は、前記反転手段の出力電圧を非反転入力端で入力する差動増幅手段と、
前記差動増幅手段の出力電圧が入力電圧として各々供給される第１及び第２出力増幅手段と、
前記第１出力増幅手段の出力端と前記出力端子とを接続する手段と、
前記第２出力増幅手段の出力端と前記出力端子との間の接続をオンオフする第１スイッチ素子と、
前記出力端子と前記複数のアンプについての共通ラインとの間の接続をオンオフする第２スイッチ素子と、
前記第２出力増幅手段の出力端と前記差動増幅手段の反転入力端との間の接続をオンオフする第３スイッチ素子と、
前記出力端子と前記差動増幅手段の反転入力端との間の接続をオンオフする第４スイッチ素子と、を有し、
前記反転手段によって前記画像データに応じた電圧が極性反転された直後の第１所定の期間には前記第１出力増幅手段を制御信号に応じてハイインピーダンス状態に制御すると共に、前記第１及び前記第４スイッチ素子をオフ状態に制御し、前記第２及び前記第３スイッチ素子をオン状態に制御するものであり、前記第１所定の期間終了後から前記反転手段によって画像データに応じた電圧が次に極性反転されるまでの間内において前記第１出力増幅手段を制御信号に応じてアンプ動作状態に制御すると共に、前記第１及び前記第４スイッチ素子をオン状態に制御し、前記第２及び前記第３スイッチ素子をオフ状態に制御することを特徴とするソースドライバ。
【請求項２】
前記反転手段によって前記画像データに応じた電圧が極性反転された直後の前記第１所定の期間には前記第１出力増幅手段をハイインピーダンス状態に制御し、前記第２出力増幅手段をアンプ動作状態に制御し、前記第１及び前記第４スイッチ素子をオフ状態に制御し、前記第２及び前記第３スイッチ素子をオン状態に制御し、
前記第１所定の期間終了後からの第２所定の期間には前記第１及び前記第２出力増幅手段をアンプ動作状態に制御し、前記第１及び前記第４スイッチ素子をオン状態に制御し、前記第２及び前記第３スイッチ素子をオフ状態に制御し、
前記第２所定の期間終了後から前記反転手段によって画像データに応じた電圧が次に極性反転されるまで前記第１出力増幅手段をアンプ動作状態に制御し、前記第２出力増幅手段をハイインピーダンス状態に制御し、前記第１及び前記第４スイッチ素子をオン状態に制御し、前記第２及び前記第３スイッチ素子をオフ状態に制御することを特徴とする請求項１記載のソースドライバ。
【請求項３】
前記第１所定の期間は前記液晶パネルの列端子の電位を前記基準電位に等しくする期間であり、前記第２所定の期間は前記出力端子から前記液晶パネルの列端子に印加された前記駆動電圧が前記画像データが示す階調に応じた電圧に安定するまでの期間であることを特徴とする請求項２記載のソースドライバ。
【請求項４】
前記第１出力増幅手段の電流出力能力は前記第２出力増幅手段の電流出力能力より大であることを特徴とする請求項１記載のソースドライバ。
【請求項５】
前記所定の周期は前記液晶パネルのライン走査周期であることを特徴とする請求項１記載のソースドライバ。
【請求項６】
前記複数のアンプ各々は、半導体集積回路からなり、前記第１及び前記第２出力増幅手段各々はゲートが櫛歯状に配列された複数の電界効果トランジスタによって構成され、前記電界効果トランジスタの数によって前記第１及び第２出力増幅手段各々の電流出力能力が定められていることを特徴とする請求項４記載のソースドライバ。
【請求項７】
アクティブマトリックス型の液晶パネルの列毎に画像データに応じた電圧を基準電位について所定の周期で極性反転させて出力する反転手段と、
前記所定の周期で前記反転手段の出力電圧に応じて駆動電圧を出力端子から前記液晶パネルの列端子に出力する電圧フォロワからなる複数のアンプと、を備えるソースドライバであって、
前記複数のアンプ各々は、前記反転手段の出力電圧を非反転入力端で入力する差動増幅手段と、
前記差動増幅手段の出力電圧が入力電圧として各々供給される第１及び第２出力増幅手段と、を有し、
前記反転手段によって前記画像データに応じた電圧が極性反転された直後の第１所定の期間には前記第１出力増幅手段を制御信号に応じてハイインピーダンス状態に制御すると共に、前記第２出力増幅手段の出力端と前記出力端子との間及び前記出力端子と前記差動増幅手段の反転入力端との間を非接続状態に各々制御し、前記第２出力増幅手段の出力端と前記差動増幅手段の反転入力端との間を接続状態に制御し、かつ前記出力端子の電位を前記基準電位に収束させるチャージシェアを行うものであり、前記第１所定の期間終了後から前記反転手段によって画像データに応じた電圧が次に極性反転されるまでの間内において前記第１出力増幅手段を制御信号に応じてアンプ動作状態に制御すると共に、前記第２出力増幅手段の出力端と前記出力端子との間及び前記出力端子と前記差動増幅手段の反転入力端との間を接続状態に各々制御し、前記第２出力増幅手段の出力端と前記差動増幅手段の反転入力端との間を非接続状態に制御し、かつ前記チャージシェアを停止することを特徴とするソースドライバ。
【発明の詳細な説明】
【技術分野】
【０００１】
本発明は、アクティブマトリックス型の液晶パネルのソースドライバに関する。
【背景技術】
【０００２】
液晶パネルの液晶材料の特性劣化を防止して液晶パネルの長期信頼性を確保するために、交流駆動する必要があることが知られている。このため、従来のアクティブマトリックス型の液晶表示装置においては、液晶パネルの各セル（画素）の液晶素子の電極間にソースドライバによって画像データの階調レベルに応じた駆動電圧が印加され、その駆動電圧を映像信号の例えば、フレーム毎に基準電位に対して極性反転させることが行われている（特許文献１参照）。例えば、基準電位に対してＨ（高電位）側の駆動電圧が印加されたフレームの次のフレームでは基準電位に対してＬ（低電位）側の駆動電圧が印加される。
【０００３】
また、液晶パネルの全てのセルを基準電位に対して同時に同一側の駆動電圧にするのではなく、列及び行各々において隣り合うセルが基準電位に対して互いに逆側の駆動電圧になるようにしたドット反転駆動方式、或いは列において隣り合うセルが互いに逆側の駆動電圧になり、行においては２ライン毎に反転するようにした２ラインドット反転方式が採用されている。
【０００４】
図１はソースドライバから液晶パネルの複数の列端子のうちの１つの列端子に供給される信号波形の一例を示している。基準電位であるＶＣＯＭ信号は２端子素子である液晶素子の一方の端子電位であって一定の直流電圧（例えば、６Ｖ）である。ＶＣＯＭ信号は通常は駆動電源の出力電圧の１／２程度の電位を有している。駆動電圧は図１に実線ＡＬで示した特性のようにライン走査周期（１ライン当たりの走査期間）でＶＣＯＭ信号に対して極性反転することを示している。図１に破線ＢＬで示した特性はドット反転駆動方式の場合に、隣接する列端子を介して液晶素子に印加される駆動電圧を示している。なお、駆動電圧は上記したように画像データの階調レベルに応じた電圧であるが、図１では反転後の駆動電圧は一定（同一階調値）になるとして示されている。
【先行技術文献】
【特許文献】
【０００５】
【特許文献１】特開２００５−２０１９７４号公報
【特許文献２】特開２００３−０６０４５３号公報
【発明の概要】
【発明が解決しようとする課題】
【０００６】
近年、液晶表示装置では、画質向上のために高速動作が要求されており、そのためには画像データが示す階調に応じた駆動電圧で液晶パネルの液晶素子をチャージさせる書き込み速度の高速化が必要である。一方、その書き込み速度の高速化とはトレードオフの関係である装置の消費電力の低減やドライバでの発熱量の低減も求められている。
【０００７】
そこで、本発明の目的は、高速の駆動を可能にしつつ低発熱を実現することができる液晶パネルのソースドライバを提供することである。
【課題を解決するための手段】
【０００８】
本発明のソースドライバは、アクティブマトリックス型の液晶パネルの列毎に画像データに応じた電圧を基準電位について所定の周期で極性反転させて出力する反転手段と、前記所定の周期で前記反転手段の出力電圧に応じて駆動電圧を出力端子から前記液晶パネルの列端子に出力する電圧フォロワからなる複数のアンプと、を備えるソースドライバであって、前記複数のアンプ各々は、前記反転手段の出力電圧を非反転入力端で入力する差動増幅手段と、前記差動増幅手段の出力電圧が入力電圧として各々供給される第１及び第２出力増幅手段と、前記第１出力増幅手段の出力端と前記出力端子とを接続する手段と、前記第２出力増幅手段の出力端と前記出力端子との間の接続をオンオフする第１スイッチ素子と、前記出力端子と前記複数のアンプについての共通ラインとの間の接続をオンオフする第２スイッチ素子と、前記第２出力増幅手段の出力端と前記差動増幅手段の反転入力端との間の接続をオンオフする第３スイッチ素子と、前記出力端子と前記差動増幅手段の反転入力端との間の接続をオンオフする第４スイッチ素子と、を有し、前記反転手段によって前記画像データに応じた電圧が極性反転された直後の第１所定の期間には前記第１出力増幅手段を制御信号に応じてハイインピーダンス状態に制御すると共に、前記第１及び前記第４スイッチ素子をオフ状態に制御し、前記第２及び前記第３スイッチ素子をオン状態に制御するものであり、前記第１所定の期間終了後から前記反転手段によって画像データに応じた電圧が次に極性反転されるまでの間内において前記第１出力増幅手段を制御信号に応じてアンプ動作状態に制御すると共に、前記第１及び前記第４スイッチ素子をオン状態に制御し、前記第２及び前記第３スイッチ素子をオフ状態に制御することを特徴としている。
本発明のソースドライバは、アクティブマトリックス型の液晶パネルの列毎に画像データに応じた電圧を基準電位について所定の周期で極性反転させて出力する反転手段と、  前記所定の周期で前記反転手段の出力電圧に応じて駆動電圧を出力端子から前記液晶パネルの列端子に出力する電圧フォロワからなる複数のアンプと、を備えるソースドライバであって、前記複数のアンプ各々は、前記反転手段の出力電圧を非反転入力端で入力する差動増幅手段と、前記差動増幅手段の出力電圧が入力電圧として各々供給される第１及び第２出力増幅手段と、を有し、前記反転手段によって前記画像データに応じた電圧が極性反転された直後の第１所定の期間には前記第１出力増幅手段を制御信号に応じてハイインピーダンス状態に制御すると共に、前記第２出力増幅手段の出力端と前記出力端子との間及び前記出力端子と前記差動増幅手段の反転入力端との間を非接続状態に各々制御し、前記第２出力増幅手段の出力端と前記差動増幅手段の反転入力端との間を接続状態に制御し、かつ前記出力端子の電位を前記基準電位に収束させるチャージシェアを行うものであり、前記第１所定の期間終了後から前記反転手段によって画像データに応じた電圧が次に極性反転されるまでの間内において前記第１出力増幅手段を制御信号に応じてアンプ動作状態に制御すると共に、前記第２出力増幅手段の出力端と前記出力端子との間及び前記出力端子と前記差動増幅手段の反転入力端との間を接続状態に各々制御し、前記第２出力増幅手段の出力端と前記差動増幅手段の反転入力端との間を非接続状態に制御し、かつ前記チャージシェアを停止することを特徴としている。
【発明の効果】
【０００９】
本発明のソースドライバによれば、出力端子から液晶パネルの列端子に供給される電圧は所望の駆動電圧に早急に変化させることができる。また、発熱量を減少させることができ、駆動電圧のレベルを高精度で液晶パネルに出力させることができる。
【図面の簡単な説明】
【００１０】
【図１】従来のソースドライバから液晶パネルの１つの列端子に印加される信号波形の一例を示す図である。
【図２】本発明の第１実施例としてソースドライバの構成を示すブロック図である。
【図３】図２中の画像データのデータ構造を示す図である。
【図４】図２のソースドライバ内の第２スイッチ回路の構成を示す図である。
【図５】図２のソースドライバ内のアンプの構成を示す回路図である。
【図６】図２のソースドライバから液晶パネルの１つの列端子に印加される信号波形の一例を示す図である。
【図７】ＣＳ期間における図５のアンプ中の各スイッチ素子のオンオフ状態及び第１出力アンプのハイインピーダンス状態を示す回路図である。
【図８】アンプの他の構成例を示す回路図である。
【図９】本発明の第２実施例としてソースドライバの構成を示すブロック図である。
【図１０】図９のソースドライバ内のアンプの構成を示す回路図である。
【図１１】図９のソースドライバから液晶パネルの１つの列端子に印加される信号波形の一例を示す図である。
【図１２】ＣＳ期間における図１０のアンプ中の各スイッチ素子のオンオフ状態及び第１出力アンプのハイインピーダンス状態を示す回路図である。
【図１３】通常期間における図１０のアンプ中の各スイッチ素子のオンオフ状態及び第２出力アンプのハイインピーダンス状態を示す回路図である。
【発明を実施するための形態】
【００１１】
以下、本発明の実施例を図面を参照しつつ詳細に説明する。
【００１２】
図２は本発明の第１実施例としてソースドライバの構成を示している。このソースドライバは、複数のアンプ６０１、複数の第１スイッチ回路１０２、複数の第２スイッチ回路１０１、複数の第１ラッチ６０６、複数の第２ラッチ６０８、シフトレジスタ６０７、複数のＰチャネル基準電圧セレクタ６０２、複数のＮチャネル基準電圧セレクタ６０３、入力パッド及び制御回路７０１、ＶＨ生成回路５０１、ＶＬ生成回路５０２、及び複数の遅延回路５２１を備えている。
【００１３】
このソースドライバは、図示しないアクティブマトリックス型の液晶パネルの隣接する６列に対して１つの駆動部を形成しており、図２では２つの駆動部（第１駆動部Ａ１及び第２駆動部Ａ２）だけを示している。また、各駆動部の６列分においては隣り合う２列で駆動群が形成され、各駆動群内の２列に対応した２つの信号供給系で後述するように第１及び第２スイッチ回路１０２，１０１によりデータ及び基準電圧が切り替えられる構成になっている。
【００１４】
シフトレジスタ６０７は複数のフリップフロップＦＦからなり、スタート信号に応じて第１ラッチ６０６にデータのラッチタイミングを示すラッチ信号Ｌ１，Ｌ２，．．．を出力する。
【００１５】
入力パッド及び制御回路７０１は画像データを入力し、第１ラッチ６０６がシフトレジスタ６０７の出力タイミングで画像データを順次取り込めるように並び替え、６つの出力画像データ７０２（Ｒ１，Ｇ１，Ｂ１，Ｒ２，Ｇ２，Ｂ２）を第１ラッチ６０６に供給する。
【００１６】
画像データ７０２には図３に示すように、６列分のデータＲ１，Ｇ１，Ｂ１，Ｒ２，Ｇ２，Ｂ２が同時に含まれる。すなわち、データＲ１，Ｇ１，Ｂ１，Ｒ２，Ｇ２，Ｂ２は先ず、最初の６列分のＲ＿１，Ｇ＿１，Ｂ＿１，Ｒ＿２，Ｇ＿２，Ｂ＿２となり、そして、それに続く６列分のＲ＿３，Ｇ＿３，Ｂ＿３，Ｒ＿４，Ｇ＿４，Ｂ＿４となり、そして、更にそれに続く６列分のＲ＿５，Ｇ＿５，Ｂ＿５，Ｒ＿６，Ｇ＿６，Ｂ＿６となる。その後も同様に続く。
【００１７】
画像データ７０２の階調数は、例えば、そのデータが６bitである場合には６４階調、データが８bitである場合には２５６階調、データが１０bitである場合には１０２４階調である。
【００１８】
第１ラッチ６０６は液晶パネルの列端子数のラッチ（第１駆動部Ａ１では１０３〜１０８）からなり、各第１ラッチ６０６はシフトレジスタ６０７の出力タイミング信号Ｌ１，Ｌ２，．．．に応じて画像データ７０２のいずれか１を取り込む。
【００１９】
第２ラッチ６０８は液晶パネルの列端子数分のラッチ（第１駆動部Ａ１では１０９〜１１４）からなり、第１ラッチ６０６に取り込まれた画像データをロード信号ＬＯＡＤに応じてラッチして出力する。
【００２０】
第１切替手段である第１スイッチ回路１０２は列端子数の半分の数のスイッチ回路（第１駆動部Ａ１では２０１〜２０３）からなる。各スイッチ回路１０２は、１つの駆動群をなす２つの第２ラッチ６０８でデータラッチされた信号の供給先を極性反転信号ＰＯＬに応じてＰチャネル基準電圧セレクタ６０２とＮチャネル基準電圧セレクタ６０３との入力間で切り換える。各スイッチ回路１０２は図２には２入力及び２出力に示されているが、入力及び出力毎にデータ信号のビット数分の入力及び出力ラインが存在する。この１ビット分のスイッチ回路の構成は後述の図４のスイッチ回路１０１の各スイッチ回路のものと同一である。
【００２１】
ＶＨ生成回路５０１は基準電圧ＶＲＥＦ＿Ｈ１（１２Ｖ）が一端に、ＶＲＥＦ＿Ｈ２（６Ｖ）が他端に印加される複数の分圧回路を有し、複数の分圧回路各々によってその印加電圧を分圧して画像データの階調数に対応する複数の互いに異なる基準電圧ＶＨを生成する。
【００２２】
ＶＬ生成回路５０２は基準電圧ＶＲＥＦ＿Ｌ１（６Ｖ）が一端に、ＶＲＥＦ＿Ｌ２（０Ｖ）が他端に印加される複数の分圧回路を有し、複数の分圧回路各々によってその印加電圧を分圧して画像データの階調数に対応する複数の互いに異なる基準電圧ＶＬを生成する。
【００２３】
Ｐチャネル基準電圧セレクタ６０２は液晶パネルの列端子数の半分の数だけ備えられ、各々がＰチャネルトランジスタで構成される。各Ｐチャネル基準電圧セレクタ６０２はスイッチ回路１０２からのデータに応じて複数の基準電圧ＶＨのうちのいずれか１を選択してスイッチ回路１０１に出力する。第１駆動部Ａ１ではＰチャネル基準電圧セレクタは１１５，１１７，１１９である。
【００２４】
Ｎチャネル基準電圧セレクタ６０３は液晶パネルの列端子数の半分の数だけ備えられ、各々がＮチャネルトランジスタで構成される。各Ｎチャネル基準電圧セレクタ６０３はスイッチ回路１０２からのデータに応じて複数の基準電圧ＶＬのうちのいずれか１を選択してスイッチ回路１０１に出力する。第１駆動部Ａ１ではＮチャネル基準電圧セレクタは１１６，１１８，１２０である。
【００２５】
第２切替手段である第２スイッチ回路１０１は、液晶パネルの列端子数の半分の数のスイッチ回路（第１駆動部Ａ１では２０４，２０５，２０６）からなる。各スイッチ回路１０１は、１つの駆動群をなす２つのアンプ６０１の入力と、Ｐチャネル基準電圧セレクタ６０２及びＮチャネル基準電圧セレクタ６０３の各出力との接続を相互に入れ換える。スイッチ回路１０１は、図４に示すように極性反転信号ＰＯＬによって相互に切り換わる２つのスイッチからなる。この各スイッチ回路１０１は２入力及び２出力である。
【００２６】
アンプ６０１はスイッチ回路１０１から出力される基準電圧を駆動電圧として液晶パネルを駆動する複数のアンプ（電圧フォロワ）からなり、液晶パネルの列端子数分だけ備えている。第１駆動部Ａ１ではアンプ６０１は符号１２１〜１２６でも示されている。また、アンプ６０１各々には制御信号ＣＴＲＬ１が供給されると共に、共通ラインＣＯＭが各アンプ６０１に接続されている。アンプ６０１の内部構成については後述する。共通ラインＣＯＭは後述のＣＳ期間に全てのアンプ６０１の出力端子、すなわち液晶パネルの全ての列端子を短絡させるために用いられる。
【００２７】
遅延回路５２１は上記の駆動部間に設けられ、ロード信号ＬＯＡＤを遅延させて隣接の駆動部の第２ラッチ６０８に供給し、それにより第２ラッチ６０８に画像データを転送するタイミングを設定する。
【００２８】
なお、上記の画像データ、スタート信号、極性反転信号ＰＯＬ、ロード信号ＬＯＡＤ、制御信号ＣＴＲＬ１は図示しないコントローラにおいて入力映像信号に応じて生成される。
【００２９】
アンプ６０１各々は電圧フォロワを構成するために、図５に示すように、差動アンプ６１１（差動増幅手段）、第１出力アンプ６１２（第１出力増幅手段）、第２出力アンプ６１３（第２出力増幅手段）及びスイッチ素子ＳＷ１〜ＳＷ４（第１〜第４スイッチ素子）からなる。差動アンプ６１１並びに第１及び第２出力アンプ６１２，６１３の各々はオペアンプによって構成されている。第１及び第２出力アンプ６１２，６１３は電流増幅アンプであり、第１出力アンプ６１２の電流出力能力は第２出力アンプ６１３の電流出力能力より大である。すなわち、第１出力アンプ６１２は出力電流量が大なるメインアンプであり、第２出力アンプ６１３は出力電流量が小なるサブアンプである。
【００３０】
差動アンプ６１１の非反転入力端にはスイッチ回路１０１から出力される基準電圧が入力端子ＩＮを介して供給され、反転入力端には電圧フォロワのフィードバック信号ＦＢが供給される。差動アンプ６１１の出力端は第１及び第２出力アンプ６１２，６１３各々の入力端に接続されている。第１及び第２出力アンプ６１２，６１３は出力アンプとして並列接続された構成をなしている。このような並列接続の構成自体は従来技術であり、例えば、特許文献２に示されている。第１出力アンプ６１２の出力端はアンプ６０１の出力端子ＯＵＴに接続されている。第２出力アンプ６１３の出力端と出力端子ＯＵＴとの間にスイッチ素子ＳＷ１が設けられている。スイッチ素子ＳＷ２は出力端子ＯＵＴと共通ラインＣＯＭとの間に設けられている。スイッチ素子ＳＷ３は第２出力アンプ６１３の出力端と差動アンプ６１１の反転入力端との間に設けられ、スイッチ素子ＳＷ４は出力端子ＯＵＴと差動アンプ６１１の反転入力端との間に設けられている。
【００３１】
第１出力アンプ６１２には制御信号ＣＴＲＬ１が供給され、第１出力アンプ６１２は制御信号ＣＴＲＬ１に応じてアンプ動作状態及びハイインピーダンス状態のいずれか一方となる。また、図示していないが、スイッチ素子ＳＷ１〜ＳＷ４に対しても制御信号ＣＴＲＬ１が供給される。スイッチ素子ＳＷ１〜ＳＷ４は制御信号ＣＴＲＬ１に応じてオン又はオフする。図５では通常時のスイッチ素子ＳＷ１〜ＳＷ４のオンオフ（開閉）を示しており、スイッチ素子ＳＷ１，ＳＷ４がオンになり、スイッチ素子ＳＷ２，ＳＷ３がオフになっている。
【００３２】
なお、上記の液晶パネルは例えば、特許文献１の図１に示された構成のものであり、特許文献１の図１に示されたソースラインＳ１〜Ｓｍに各アンプ６０１の出力端子ＯＵＴが接続される。
【００３３】
かかる構成のソースドライバにおいては、アンプ６０１の出力端子から液晶パネルの１つの列端子に印加される駆動電圧は例えば、図６に実線ＣＬで示すように変化する。駆動電圧は各ライン走査周期のうちの最初のＣＳ（チャージシェアリング）期間（第１所定の期間）にはＶＣＯＭ信号（基準電位）の電位に等しくされる。ＣＳ期間は１つのラインに位置する液晶素子の容量成分にチャージされている電荷を再配分する期間である。ＣＳ期間には制御信号ＣＴＲＬ１に応じて各アンプ６０１の出力端子ＯＵＴが共通ラインＣＯＭに短絡される。ライン走査周期のうちのＣＳ期間後の残りの期間で駆動電圧は所望の階調に対応した電圧となり、その電圧はライン走査周期で反転される。図６に破線ＤＬで示した特性は上記の１つの列端子に隣接する列端子に印加される駆動電圧を示している。なお、駆動電圧は上記したように画像データの階調レベルに応じた電圧であるが、図６では反転後の駆動電圧は一定（同一階調値）になるとして示されている。また、ＣＳ期間は列端子の電位が少なくともＶＣＯＭ信号の電位にほぼ達することができる時間的長さであれば良い。
【００３４】
また、液晶パネルの各列端子に印加される駆動電圧はフレーム毎に極性反転信号ＰＯＬに応じて反転される。すなわち、駆動電圧は映像信号の１つのフレームで基準電位ＶＣＯＭよりＨ（高レベル）側であったならば、その次のフレームでは基準電位ＶＣＯＭよりＬ（低レベル）側となる。
【００３５】
上記の構成のソースドライバにおいて先ず、極性反転信号ＰＯＬがＬ（低レベル）にあって、データＲ１，Ｇ１，Ｂ１，Ｒ２，Ｇ２，Ｂ２が各々Ｒ＿１，Ｇ＿１，Ｂ＿１，Ｒ＿２，Ｇ＿２，Ｂ＿２であるときに第１駆動部Ａ１のそれらデータによる駆動電圧をその順に基準電位のＨ側，Ｌ側，Ｈ側，Ｌ側，Ｈ側，Ｌ側にする場合の動作を説明する。
【００３６】
シフトレジスタ６０７から発生するラッチ信号Ｌ１によって、データＲ＿１は第１ラッチ６０６のうちのラッチ１０３、Ｇ＿１はラッチ１０４、Ｂ＿１はラッチ１０５、Ｒ＿２はラッチ１０６、Ｇ＿２はラッチ１０７、Ｂ＿２はラッチ１０８に保持される。Ｒ＿１，Ｇ＿１，Ｂ＿１，Ｒ＿２，Ｇ＿２，Ｂ＿２以降に関しても、同様にシフトレジスタ６０７から発生するラッチ信号Ｌｎ（ｎは２〜出力数／６）によって、入力画像データ７０２が第１ラッチ６０６に順次ラッチされる。
【００３７】
出力の数に応じた入力画像データ全てが第１ラッチ６０６にラッチされた後、ロード信号ＬＯＡＤに応じて、第１ラッチ１０３のデータは第２ラッチ１０９、第１ラッチ１０４のデータは第２ラッチ１１０、第１ラッチ１０５のデータは第２ラッチ１１１、第１ラッチ１０６のデータは第２ラッチ１１２、第１ラッチ１０７のデータは第２ラッチ１１３、第１ラッチ１０８のデータは第２ラッチ１１４に一括して転送される。第１ラッチ１０８以降の第１ラッチ６０６のデータも、同様にロード信号ＬＯＡＤを６列分（駆動部）毎に遅延させた信号Ｔｎ（ｎは２〜出力数／６）により、順次６列分毎に一括して第２ラッチ６０８に転送される。
【００３８】
第１スイッチ回路２０１によって第２ラッチ１０９のデータはＰチャネル基準電圧セレクタ６０２のうちのＰチャネル基準電圧セレクタ１１５に入力され、第２ラッチ１１０のデータはＮチャネル基準電圧セレクタ６０３のうちのＮチャネル基準電圧セレクタ１１６に入力される。スイッチ回路２０２によって第２ラッチ１１１のデータはＰチャネル基準電圧セレクタｌｌ７に入力され、第２ラッチ１１２のデータはＮチャネル基準電圧セレクタ１１８に入力される。スイッチ回路２０３によって第２ラッチ１１３のデータはＰチャネル基準電圧セレクタ１１９に入力され、第２ラッチ１１４のデータはＮチャネル基準電圧セレクタ１２０に入力される。また、Ｐチャネル基準電圧セレクタ６０２（１１５，１１７，１１９）にはＶＨ生成回路５０１から複数の基準電圧ＶＨが供給され、Ｎチャネル基準電圧セレクタ６０３（１１６，１１８，１２０）にはＶＬ生成回路５０２から複数の基準電圧ＶＬが供給されている。
【００３９】
Ｐチャネル基準電圧セレクタ１１５、１１７、ｌｌ９各々は、入力された画像データに応じて、ＶＣＯＭ信号（基準電位）よりも高電位の複数の基準電圧ＶＨのうちから１の基準電圧ＶＨを選択する。
【００４０】
Ｎチャネル基準電圧セレクタ１１６、１１８、１２０各々は、入力された画像データに応じて、ＶＣＯＭ信号（基準電位）よりも低電位の複数の基準電圧ＶＬのうちから１の基準電圧ＶＬを選択する。
【００４１】
Ｐチャネル基準電圧セレクタ１１５から選択出力された基準電圧ＶＨは、第２スイッチ回路２０４によって、複数のアンプ６０１のうちのアンプ１２１に入力される。Ｎチャネル基準電圧セレクタ１１６から出力された基準電圧ＶＬは、第２スイッチ回路２０４によって、アンプ６０１のうちのアンプ１２２に入力される。Ｐチャネル基準電圧セレクタ１１７から出力された基準電圧ＶＨは、第２スイッチ回路２０５によって、複数のアンプ６０１のうちのアンプ１２３に入力される。Ｎチャネル基準電圧セレクタ１１８から出力された基準電圧ＶＬは、スイッチ回路２０５によって、複数のアンプ６０１のうちのアンプ１２４に入力される。Ｐチャネル基準電圧セレクタ１１９から出力された基準電圧ＶＨは、第２スイッチ回路２０６によって、複数のアンプ６０１のうちのアンプ１２５に入力される。Ｎチャネル基準電圧セレクタ１２０から出力された基準電圧ＶＬは、第２スイッチ回路２０６によって、複数のアンプ６０１のうちのアンプ１２６に入力される。
【００４２】
極性反転信号ＰＯＬがＬになったときには図６に示したＣＳ期間である。このＣＳ期間には、複数のアンプ６０１各々において、図７に示すように、スイッチ素子ＳＷ１，ＳＷ４がオフとなり、スイッチ素子ＳＷ２，ＳＷ３がオンとなる。第１出力アンプ６１２はハイインピーダンス状態となるので、出力端子ＯＵＴに何ら影響を与えない。スイッチ素子ＳＷ２のオンにより液晶パネルの各列端子を共通ラインＣＯＭに接続するので、出力端子ＯＵＴの電圧、すなわち液晶パネルの列端子電圧が徐々にＶＣＯＭ信号の電位に収束する。一方、このＣＳ期間において第２出力アンプ６１３はアンプとして動作し、そのときの差動アンプ６１１の出力電圧に応じて電圧を生成し、その電圧はスイッチ素子ＳＷ３を介して差動アンプ６１１の反転入力端にフィードバック信号ＦＢとして供給される。よって、アンプ６０１各々に入力された基準電圧ＶＨ又はＶＬに応じた電圧を第２出力アンプ６１３は出力することになる。
【００４３】
ＣＳ期間が終了すると、複数のアンプ６０１各々においては、通常期間の動作が行われ、スイッチ素子ＳＷ１，ＳＷ４がオンとなり、スイッチ素子ＳＷ２，ＳＷ３がオフとなる。第１及び第２出力アンプ６１２，６１３は共にアンプとして動作し、差動アンプ６１１の出力電圧に応じて同一の駆動電圧を出力端子ＯＵＴに出力する。第１出力アンプ６１２の出力駆動電圧はスイッチ素子ＳＷ４を介して、第２出力アンプ６１３の出力駆動電圧はスイッチ素子ＳＷ１，ＳＷ４を介して差動アンプ６１１の反転入力端にフィードバック信号ＦＢとして供給される。よって、出力端子ＯＵＴの電圧はＣＳ期間のＶＣＯＭ信号の電位から所望の駆動電圧に遷移する。第２出力アンプ６１３の出力電圧の差動アンプ６１１へのフィードバックが出力端子ＯＵＴの接続ラインを介して行われるので、ＣＳ期間の第２出力アンプ６１３の出力電圧が出力端子ＯＵＴからの出力される駆動電圧に直ちに反映されるので、出力端子ＯＵＴの電圧はＶＣＯＭ信号の電位から所望の駆動電圧に早く達することができる。
【００４４】
これにより、複数のアンプ６０１のうちのアンプ１２１に入力された基準電圧ＶＨに応じてＲ＿ｌに対応したＨ側の駆動電圧がアンプ１２１から発生される。アンプ６０１のうちのアンプ１２２に入力された基準電圧ＶＬに応じてＧ＿１に対応したＬ側の駆動電圧がアンプ１２２から発生される。アンプ６０１のうちのアンプ１２３に入力された基準電圧ＶＨに応じてＢ＿ｌに対応したＨ側の駆動電圧がアンプ１２３から発生される。アンプ６０１のうちのアンプ１２４に入力された基準電圧ＶＬに応じてＲ＿２に対応したＬ側の駆動電圧がアンプ１２４から発生される。アンプ６０１のうちのアンプ１２５に入力された基準電圧ＶＨに応じてＧ＿２に対応したＨ側の駆動電圧がアンプ１２５から発生される。アンプ６０１のうちのアンプ１２６に入力された基準電圧ＶＬに応じてＢ＿２に対応したＬ側の駆動電圧がアンプ１２６から発生される。
【００４５】
次に、極性反転信号ＰＯＬがＨ（高レベル）に切り換わって、第１駆動部Ａ１のデータＲ＿１，Ｇ＿１，Ｂ＿１，Ｒ＿２，Ｇ＿２，Ｂ＿２による駆動電圧をその順に基準電位のＬ側，Ｈ側，Ｌ側，Ｈ側，Ｌ側，Ｈ側にする場合の動作を説明する。
【００４６】
この場合において、入力画像データ７０２から第２ラッチ６０８までは上記の場合と同様の動作をするので、その動作説明は省略される。ＰＯＬ＝Ｈによってスイッチ回路１０１及び１０２の各々が切り替わる。
【００４７】
複数の第１スイッチ回路１０２のうちのスイッチ回路２０１によって第２ラッチ１０９のデータはＮチャネル基準電圧セレクタ６０３のうちのＮチャネル基準電圧セレクタ１１６に入力され、第２ラッチ１１０のデータはＰチャネル基準電圧セレクタ６０２のうちのＰチャネル基準電圧セレクタ１１５に入力される。スイッチ回路２０２によって第２ラッチ１１１のデータはＮチャネル基準電圧セレクタ１１８に入力され、第２ラッチｌｌ２のデータはＰチャネル基準電圧セレクタ１１７に入力される。スイッチ回路２０３によって第２ラッチ１１３のデータはＮチャネル基準電圧セレクタ１２０に入力され、第２ラッチ１１４のデータはＰチャネル基準電圧セレクタ１１９に入力される。
【００４８】
Ｐチャネル基準電圧セレクタ１１５、１１７、ｌｌ９各々は、入力された画像データに応じて、ＶＣＯＭ信号（基準電位）よりも高電位の複数の基準電圧ＶＨのうちから１の基準電圧ＶＨを選択する。
【００４９】
Ｎチャネル基準電圧セレクタ１１６、１１８、１２０各々は、入力された画像データに応じて、ＶＣＯＭ信号（基準電位）よりも低電位の複数の基準電圧ＶＬのうちから１の基準電圧ＶＬを選択する。
【００５０】
Ｐチャネル基準電圧セレクタ１１５から出力された基準電圧ＶＨは、スイッチ回路２０４によってアンプ６０１のうちのアンプ１２２に入力される。Ｎチャネル基準電圧セレクタ１１６から出力された基準電圧ＶＬは、スイッチ回路２０４によってアンプ６０１のうちのアンプ１２１に入力される。Ｐチャネル基準電圧セレクタ１１７から出力された基準電圧ＶＨは、スイッチ回路２０５によってアンプ６０１のうちのアンプ１２４に入力される。Ｎチャネル基準電圧セレクタｌｌ８から出力された基準電圧ＶＬは、スイッチ回路２０５によってアンプ６０１のうちのアンプ１２３に入力される。Ｐチャネル基準電圧セレクタ１１９から出力された基準電圧ＶＨは、スイッチ回路２０６によって、アンプ６０１のうちのアンプ１２６に入力される。Ｎチャネル基準電圧セレクタ１２０から出力された基準電圧ＶＬは、スイッチ回路２０６によってアンプ６０１のうちのアンプ１２５に入力される。
【００５１】
極性反転信号ＰＯＬがＨになったときには図６に示したＣＳ期間である。このＣＳ期間には、複数のアンプ６０１各々において、図７に示すように、スイッチ素子ＳＷ１，ＳＷ４がオフとなり、スイッチ素子ＳＷ２，ＳＷ３がオンとなり、第１出力アンプ６１２はハイインピーダンス状態となる。これによりＰＯＬ＝Ｌの場合のＣＳ期間と同様に動作が行われる。スイッチ素子ＳＷ２のオンにより液晶パネルの各列端子を共通ラインＣＯＭに接続するので、出力端子ＯＵＴの電圧、すなわち液晶パネルの同一ラインにある各液晶素子の端子電圧が徐々にＶＣＯＭ信号の電位に収束する。一方、このＣＳ期間において第２出力アンプ６１３はアンプとして動作し、そのときの差動アンプ６１１の出力電圧に応じて電圧を生成し、その電圧はスイッチ素子ＳＷ３を介して差動アンプ６１１の反転入力端にフィードバック信号ＦＢとして供給される。よって、アンプ６０１各々に入力された基準電圧ＶＨ又はＶＬに応じた電圧を第２出力アンプ６１３は出力することになる。
【００５２】
ＣＳ期間が終了すると、ＰＯＬ＝Ｌの場合と同様に、複数のアンプ６０１各々においては、通常期間の動作が行われ、スイッチ素子ＳＷ１，ＳＷ４がオンとなり、スイッチ素子ＳＷ２，ＳＷ３がオフとなる。第１及び第２出力アンプ６１２，６１３は共にアンプとして動作し、差動アンプ６１１の出力電圧に応じて駆動電圧を出力端子ＯＵＴに出力する。第１出力アンプ６１２の出力電圧はスイッチ素子ＳＷ４を介して、第２出力アンプ６１３の出力電圧はスイッチ素子ＳＷ１，ＳＷ４を介して差動アンプ６１１の反転入力端にフィードバック信号ＦＢとして供給される。よって、出力端子ＯＵＴの電圧はＣＳ期間のＶＣＯＭ信号の電位から所望の駆動電圧に急速に遷移する。
【００５３】
これにより、複数のアンプ６０１のうちのアンプ１２２に入力された基準電圧ＶＨに応じてＧ＿１に対応したＨ側の駆動電圧がアンプ１２２から発生される。アンプ６０１のうちのアンプ１２１に入力された基準電圧ＶＬに応じてＲ＿１に対応したＬ側の駆動電圧がアンプ１２１から発生される。アンプ６０１のうちのアンプ１２４に入力された基準電圧ＶＨに応じてＲ＿２に対応したＨ側の駆動電圧がアンプ１２４から発生される。アンプ６０１のうちのアンプ１２３に入力されたた基準電圧ＶＬに応じてＢ＿１に対応したＬ側の駆動電圧がアンプ１２３から発生される。アンプ６０１のうちのアンプ１２６に入力された基準電圧ＶＨに応じてＢ＿２に対応したＨ側の駆動電圧を発生する。アンプ６０１のうちのアンプ１２５に入力された基準電圧ＶＬに応じてＧ＿２に対応したＬ側の駆動電圧がアンプ１２５から発生される。
【００５４】
アンプ６０１について、例えば、図８に示すようにスイッチ素子として、２つのスイッチ素子ＳＷ１Ａ，ＳＷ２Ａだけを用いて構成する場合にはＣＳ期間には第１出力アンプ６１２がハイインピーダンス状態となり、スイッチ素子ＳＷ１Ａがオフ、スイッチ素子ＳＷ２Ａがオンとなり、一方、通常期間の動作時にスイッチ素子ＳＷ１Ａがオン、スイッチ素子ＳＷ２Ａがオフとなる。図８の構成では通常の動作時に第２出力アンプ６１３の出力信号はスイッチ素子ＳＷ１Ａを介すことなく差動アンプ６１１にフィードバックされるので、ＣＳ期間に得られた第２出力アンプ６１３の出力電圧が出力端子ＯＵＴに反映されるまでにスイッチ素子ＳＷ１Ａの遅延が影響する。これに対し、上記した第１実施例によれば、各アンプ６０１においてスイッチ素子ＳＷ１の第２出力アンプ６１３側とフィードバック信号ＦＢラインとの間にスイッチ素子ＳＷ３を設け、出力端子ＯＵＴとフィードバック信号ＦＢラインとの間にスイッチ素子ＳＷ４を設けたことにより、通常期間の動作時の出力端子ＯＵＴにＣＳ期間に得られた第２出力アンプ６１３の出力電圧が直ちに生じるためにスイッチ素子ＳＷ１による信号遅延の影響を受けないようにすることができる。
【００５５】
また、図８に示した構成では通常期間の動作時にスイッチ素子ＳＷ１Ａには出力電流量が大の第１出力アンプ６１２の出力信号がフィードバック信号として流れるので、スイッチ素子ＳＷ１Ａのサイズを大きくする必要がある。これに対し、第１実施例によれば、図８のスイッチ素子ＳＷ１Ａに対応するスイッチ素子ＳＷ１には第２出力アンプ６１３の出力電流だけが流れるので、低発熱となると共にスイッチ素子ＳＷ１のサイズを小さくでき、ソースドライバのチップサイズを小さくすることができるという効果がある。
【００５６】
図９は本発明の第２実施例としてソースドライバの構成を示し、図１０はそのソースドライバ中の各アンプ６０１の構成を示している。
【００５７】
図９のソースドライバにおいて、各アンプ６０１（１２１〜１２６を含む）には、制御信号ＣＴＲＬ１の他に制御信号ＣＴＲＬ２が供給される。その他の構成は図２に示したソースドライバと同一である。
【００５８】
アンプ６０１各々は電圧フォロワを構成するために、図１０に示すように、差動アンプ６１１、第１出力アンプ６１２、第２出力アンプ６１３及びスイッチ素子ＳＷ１〜ＳＷ４からなる。
【００５９】
第１出力アンプ６１２には制御信号ＣＴＲＬ１が供給され、第１出力アンプ６１２は制御信号ＣＴＲＬ１に応じてアンプ動作状態及びハイインピーダンス状態のいずれか一方となる。第２出力アンプ６１３には制御信号ＣＴＲＬ２が供給され、第２出力アンプ６１３は制御信号ＣＴＲＬ２に応じてアンプ動作状態及びハイインピーダンス状態のいずれか一方となる。スイッチ素子ＳＷ１〜ＳＷ４は制御信号ＣＴＲＬ１に応じてオン又はオフすることは図５に示した第１実施例の構成と同一である。
【００６０】
図９及び図１０の構成のソースドライバにおいては、アンプ６０１の動作はライン走査周期においてＣＳ（チャージシェアリング）期間（第１所定の期間）、スウィング(Swing)期間（第２所定の期間）、及び安定期間とからなる。アンプ６０１の出力端子から液晶パネルの１つの列端子に印加される駆動電圧は例えば、図１１に実線ＥＬで示すように変化する。ＣＳ期間には駆動電圧はＶＣＯＭ信号（基準電位）の電位に等しくされる。ＣＳ期間には制御信号ＣＴＲＬ１に応じて各アンプ６０１の出力端子ＯＵＴが共通ラインＣＯＭに短絡される。図１１に破線ＦＬで示した特性はドット反転駆動方式の場合に、隣接する列端子を介して液晶素子に印加される駆動電圧を示している。
【００６１】
ＣＳ期間には制御信号ＣＴＲＬ１に応じてアンプ６０１では図１２に示すように、スイッチ素子ＳＷ１，ＳＷ４がオフとなり、スイッチ素子ＳＷ２，ＳＷ３がオンとなる。また、第１出力アンプ６１２がハイインピーダンス状態になる。スイッチ素子ＳＷ２のオンにより液晶パネルの各列端子を共通ラインＣＯＭに接続するので、出力端子ＯＵＴの電圧、すなわち液晶パネルの同一ラインにある各液晶素子の端子電圧が徐々にＶＣＯＭ信号の電位に収束する。一方、このＣＳ期間において第２出力アンプ６１３はアンプとして動作し、そのときの差動アンプ６１１の出力電圧に応じて電圧を生成し、その電圧はスイッチ素子ＳＷ３を介して差動アンプ６１１の反転入力端にフィードバック信号ＦＢとして供給される。よって、アンプ６０１各々に入力された基準電圧ＶＨ又はＶＬに応じた電圧を第２出力アンプ６１３は出力することになる。
【００６２】
ＣＳ期間が終了してスウィング期間になると、図１０に示すように、制御信号ＣＴＲＬ１に応じてアンプ６０１ではスイッチ素子ＳＷ１，ＳＷ４がオンとなり、スイッチ素子ＳＷ２，ＳＷ３がオフとなる。第１及び第２出力アンプ６１２，６１３は共にアンプ動作状態となる。差動アンプ６１１の出力電圧に応じて第１及び第２出力アンプ６１２，６１３各々から電圧が生成される。第１出力アンプ６１２の出力電圧はスイッチ素子ＳＷ４を介して、第２出力アンプ６１３の出力電圧はスイッチ素子ＳＷ１，ＳＷ４を介して差動アンプ６１１の反転入力端にフィードバック信号ＦＢとして供給される。また、その第１及び第２出力アンプ６１２，６１３の出力電圧が合成されて駆動電圧となって出力端子ＯＵＴから液晶パネルの列端子に出力される。その駆動電圧はＣＳ期間の第２出力アンプ６１３の出力電圧によって急速に変化してＶＣＯＭ信号の電位から所望の電圧（入力基準電圧に対応した電圧）に達する。
【００６３】
アンプ６０１において駆動電圧が画像データに応じた所望の電圧に達した後は安定期間となり、図１３に示すように、制御信号ＣＴＲＬ２に応じて第２出力アンプ６１３がハイインピーダンス状態になる。スイッチ素子ＳＷ１〜ＳＷ４及び第１出力アンプ６１２の状態はスウィング期間と同一である。安定期間には駆動電圧が所望の電圧に安定しているので、メインアンプの第１出力アンプ６１２だけがアンプ動作状態となり、駆動電圧を出力する。
【００６４】
上記した第２実施例によれば、各アンプ６０１においてスイッチ素子ＳＷ１の第２出力アンプ６１３側とフィードバック信号ＦＢラインとの間にスイッチ素子ＳＷ３を設け、出力端子ＯＵＴとフィードバック信号ＦＢラインとの間にスイッチ素子ＳＷ４を設けたことにより、スウィング期間の出力端子ＯＵＴにＣＳ期間に得られた第２出力アンプ６１３の出力電圧が直ちに駆動電圧として反映されるためにスイッチ素子ＳＷ１による信号遅延の影響を受けないようにすることができる。また、スイッチ素子ＳＷ１には第２出力アンプ６１３の出力電流だけが流れるので、低発熱となると共にスイッチ素子ＳＷ１のサイズを小さくでき、ソースドライバのチップサイズを小さくすることができるという効果がある。
【００６５】
更に、上記した第２実施例によれば、第２出力アンプ６１３を制御信号ＣＴＲＬ２に応じて駆動電圧の変化が安定した時点でハイインピーダンス状態にするので、アンプ６０１に流れる定常電流が減少され、消費電力を小さくすることができる。
【００６６】
上記した各実施例においては、複数の基準電圧ＶＨのうちの９ＶがＰチャネル基準電圧セレクタによって選択され、複数の基準電圧ＶＬのうちの３ＶがＮチャネル基準電圧セレクタによって選択される場合について説明したが、複数の基準電圧ＶＨのうちの９Ｖ以外のＶＨが選択され、複数の基準電圧ＶＬのうちの３Ｖ以外のＶＬが選択されても同様の効果を得ることができる。また、極性反転信号ＰＯＬの切り替わり前後のアンプ６０１への供給基準電圧ＶＨ，ＶＬが同一であるが変化する場合にも同様に本発明を適用することができる。また、ＶＨ生成回路５０１において複数の基準電圧ＶＨを生成するために用いられる基準電圧ＶＲＥＦ＿Ｈ１及びＶＲＥＦ＿Ｈ２は例として示した１２Ｖ及び６Ｖに限定されず、他の電圧値を用いても良い。同様に、ＶＬ生成回路５０２において複数の基準電圧ＶＬを生成するために用いられる基準電圧ＶＲＥＦ＿Ｌ１及びＶＲＥＦ＿Ｌ２は例として示した６Ｖ及び０Ｖに限定されず、他の電圧値を用いても良い。
【００６７】
本発明のソースドライバは半導体集積回路、すなわち半導体チップとして形成することができる。スイッチ素子ＳＷ１〜ＳＷ４としては少なくとも２つのＦＥＴ（電界効果トランジスタ）を並列接続して構成することができる。また、第１及び第２出力アンプ６１２，６１３としてはゲートが櫛歯状に配列された複数のＦＥＴによって構成することができる。そのＦＥＴのゲート長及びゲート幅を一定にして櫛歯数、すなわちトランジスタ数によって電流出力能力が定められており、高電流出力の第１出力アンプ６１２のトランジスタ数が第２出力アンプ６１３より多くされている。なお、上記した各実施例においては、第１出力アンプ６１２が第２出力アンプ６１３より電流出力能力が高いとされているが、第１出力アンプ６１２と第２出力アンプ６１３とが同一の電流出力能力を有しても良い。
【符号の説明】
【００６８】
１０１，１０２  スイッチ回路
４０１  スイッチ
５０１  ＶＨ生成回路
５０２  ＶＬ生成回路
６０１  アンプ
６０２  Ｐチャネル基準電圧セレクタ
６０３  Ｎチャネル基準電圧セレクタ
６１１  差動アンプ
６１２，６１３  出力アンプ
ＳＷ１〜ＳＷ４，ＳＷ１Ａ，ＳＷ２Ａ  スイッチ素子
【図１】
0005468959.tif 000002
【図２】
0005468959.tif 000003
【図３】
0005468959.tif 000004
【図４】
0005468959.tif 000005
【図５】
0005468959.tif 000006
【図６】
0005468959.tif 000007
【図７】
0005468959.tif 000008
【図８】
0005468959.tif 000009
【図９】
0005468959.tif 000010
【図１０】
0005468959.tif 000011
【図１１】
0005468959.tif 000012
【図１２】
0005468959.tif 000013
【図１３】
0005468959.tif 000014